(57)【要約】【課題】索道の支柱に自給自足的に個別に電気エネルギーを供給する【解決手段】上方領域および下方領域を有する、索道の支柱（１）が、少なくとも１つの発電機（２）、とりわけハブ発電機、少なくとも１つの太陽電池モジュール（３）および少なくとも１つの再充電可能な蓄電エレメント（４）と接続されている。【選択図】図２
2019108067.tif 000002
【特許請求の範囲】
【請求項１】
上方領域および下方領域を有する、索道の支柱（１）において、
前記支柱（１）は、少なくとも１つの発電機（２）、少なくとも１つの太陽電池モジュール（３）および少なくとも１つの再充電可能な蓄電エレメント（４）と接続されていることを特徴とする索道の支柱。
【請求項２】
前記発電機（２）は、前記支柱（１）のローラ群（５）内にまたはローラ群（５）に配置されていることを特徴とする請求項１に記載の索道の支柱。
【請求項３】
前記太陽電池モジュール（３）は、前記支柱（１）の領域に、前記支柱（１）自体に、又は、前記支柱（１）の上方領域に配置されていることを特徴とする請求項１または２に記載の索道の支柱。
【請求項４】
前記再充電可能な蓄電エレメント（４）は、前記支柱（１）の領域に、前記支柱（１）自体に、又は、前記支柱（１）の上方領域に配置されていることを特徴とする請求項１から３のいずれか一項に記載の索道の支柱。
【請求項５】
前記再充電可能な蓄電エレメント（４）は、監視電子回路（６）を有し、過充電保護部および／または過放電保護部および／または熱的過負荷に対する保護部および／または短絡に対する保護部を有することを特徴とする請求項１から４のいずれか一項に記載の索道の支柱。
【請求項６】
前記支柱（１）は、前記発電機（２）および／または前記太陽電池モジュール（３）および／または前記蓄電エレメント（４）を制御および監視するための少なくとも１つの装置（８）と接続されていることを特徴とする請求項１から５のいずれか一項に記載の索道の支柱。
【請求項７】
前記制御および監視のための装置（８）は、前記支柱（１）の領域に、前記支柱（１）自体に、又は前記支柱（１）の上方領域に配置されていることを特徴とする請求項６に記載の索道の支柱。
【請求項８】
前記支柱（１）は、無線データ伝送のための少なくとも１つの装置（７）であって、アンテナ（１０）を有する装置と接続されていることを特徴とする請求項１から７のいずれか一項に記載の索道の支柱。
【請求項９】
前記無線データ伝送のための装置（７）は、前記支柱（１）の領域に、前記支柱（１）自体に、又は前記支柱（１）の上方領域に配置されていることを特徴とする請求項６に記載の索道の支柱。
【請求項１０】
駅および駅間にある区間を備える索道において、前記区間は、請求項１から９のいずれか一項に記載の少なくとも１つの支柱（１）を有することを特徴とする索道。
【発明の詳細な説明】
【技術分野】
【０００１】
本発明は、上方領域および下方領域を有する、索道の支柱に関する。
【背景技術】
【０００２】
かかる索道の支柱は十分に公知である。
【０００３】
これら索道の駅と同じように、それらの間にある区間も安全および監視装置を有していなければならない。このような装置は通常、支持建造物、すなわちロープウエイ支柱の分野に存在し、ある程度の電気エネルギーを必要とする。安全および監視装置に電気エネルギーを供給するために、および駅と支柱との間で信号およびデータ伝送を可能にするためにも、従来の索道では地下ケーブルまたは空中ケーブルが使用されている。
【０００４】
地下ケーブルは駅から支柱へ、そして支柱の間に敷設される。これらのケーブルには保守がほとんど不要である。なぜならケーブルは、いったん敷設されると有害な環境の影響とほとんど受けないからである。地下ケーブルの欠点は、その敷設のためにロープウエイ路線に沿って地面を掘削しなければならず、このことは多大なコストと結び付いていることである。山岳地帯での掘削作業や、都市的適用における市街地での掘削作業は、地理学的条件のため、または景観保護もしくは環境保護規則のためもあって、非常に難しかったり、実施不能であったりすることがしばしばある。
【０００５】
空中ケーブルは、駅と支柱との間および支柱の間で、実質的に支持および／または索引ケーブルの横に延在して張架される。このような空中ケーブルを使用することで、地下ケーブルの使用により発生するいくつかの問題が回避され得る。
【０００６】
しかし、このような空中ケーブルにあっても複数の欠点が発生する。支柱は、空中ケーブルの使用時により大きな力が作用する。その際にケーブルの自重だけではなく、空中ケーブルが冬期に凍結する可能性も考慮しなければならない。これにより支柱は負荷耐性をより大きく構成しなければならず、より堅固に固定しなければならない。このことはさらにコストの上昇と結び付いている。したがって、支柱に空中ケーブルを後から装備することは困難であるかまたは不可能である。また、空中ケーブルには、地下ケーブルと比較してより高い保守コストが掛かる。なぜなら、空中ケーブルは有害な環境の影響に対して完全には保護されていないからである。
【０００７】
しかも、駅と支柱との間および支柱の間の信号およびデータ伝送が、現在ではますます重要になっているため、支柱ではますます大きなエネルギーが必要になってきたいる。
【０００８】
なお、この種のものとしては、特許文献１に記載されたようなものがある。
【先行技術文献】
【特許文献】
【０００９】
【特許文献１】特開平０９−１１８２２３号公報
【発明の概要】
【発明が解決しようとする課題】
【００１０】
本発明の基礎とする課題は、索道の支柱に自給自足的に個別に電気エネルギーを供給することである。これにより、本発明の索道では、地下ケーブルの敷設または空中ケーブルの張架をできるだけ完全に省略できる。さらに、装置が停止しているか運転しているかに関係なく、かつ天候状態または時刻に関係なく、本発明は連続的なエネルギー供給を提供することが望まれる。
【課題を解決するための手段】
【００１１】
この課題は、請求項１の特徴を有する支柱により解決される。
【００１２】
さらにこの課題は、請求項１０の特徴を有する索道によって解決される。
【００１３】
日中および／または索道の運転時には、少なくとも１つの太陽電池モジュールによって、および／または少なくとも１つの発電機によって支柱に電気エネルギーが提供され、その際に過剰のエネルギーは再充電可能な蓄電エレメントを充電するために利用することができる。光条件が不利な場合、例えば夜間および索道の停止状態では、支柱には電気エネルギーが再充電可能な蓄電エレメントから提供される。
【００１４】
このようにして提供された電気エネルギーは、とりわけそのために設けられた装置による無線データ伝送のため、あるいは、電気エネルギーを必要とする他の手段、例えば表示手段または照明手段のためにも利用することができる。
【００１５】
索道の複数の支柱、又は、全ての支柱が本発明による支柱であり、例えば、これにより支柱の間で互いに、および／または支柱と少なくとも１つの谷間駅または１つの山岳駅との間で無線データ接続が確立できると特に有利である。
【００１６】
本発明の好ましい有利な実施形態は、従属請求項の対象である。
【００１７】
特に好ましい一実施形態では、少なくとも１つの発電機が支柱のローラ群内にまたはローラ群に配置されている。好ましくは発電機は、ハブ発電機として構成されている。本発明の枠内で、複数の同じおよび／または異なるおよび／または別個のおよび／または互いに接続もしくは結合された発電機も支柱に備えることができ、あるいはローラ群内にまたはローラ群に配置することができる。
【００１８】
さらなる好ましい一実施形態では、少なくとも１つの太陽電池モジュールが支柱の領域に、とりわけ支柱自体に配置されている。本発明の範囲内で、複数の同じおよび／または異なるおよび／または別個のおよび／または互いに接続もしくは結合された太陽電池モジュールも、支柱に備えることができ、あるいは支柱の領域に配置することができる。さらに少なくとも１つの太陽電池モジュールが手動でもしくは自動的に調整もしくは配向可能であり、および／または１つもしくは複数の太陽電池モジュールが支柱から離間して、例えば固有の構造体上に配置されていることも考えられる。
【００１９】
蓄電エレメントは支柱の領域に、とりわけ支柱自体に配置されていると好ましい。本発明の範囲内で、複数の同じおよび／または異なるおよび／または別個のおよび／または互いに接続もしくは結合された蓄電エレメントも支柱に備えることができ、あるいは支柱の領域に配置することができる。少なくとも１つの太陽電池モジュールがケーシング内におよび／もしくは支柱の内部に配置されており、ならびに／または１つもしくは複数の太陽電池モジュールが支柱から離間して、例えば固有の構造体上に配置されていることも考えられる。
【００２０】
好ましくは、少なくとも１つの蓄電エレメントは、監視電子回路、例えばバッテリー管理システムを有し、このシステムはとりわけ過充電保護部および／または過放電保護部および／または熱的過負荷に対する保護部および／または短絡に対する保護部を備える。
【００２１】
さらなる好ましい一実施形態では、支柱は、少なくとも１つの発電機および／もしくは少なくとも１つの太陽電池モジュールおよび／もしくは少なくとも１つの蓄電エレメントを制御および監視するための少なくとも１つの装置、とりわけ論理ユニットならびに／または電子計算器を備えている。
本発明の範囲内で、複数の同じおよび／または異なるおよび／または別個のおよび／または互いに接続もしくは結合された制御および監視のための装置も、支柱に備えることができ、さらに支柱におよび／または支柱の領域に配置することができる。これらの装置の少なくとも１つがケーシング内および／もしくは支柱の内部に配置されており、ならびに／またはこれらの装置の１つもしくは複数が支柱から離間して、例えば固有の構造体上に配置されていることも考えられる。
【００２２】
支柱が無線データ伝送のための少なくとも１つの装置と接続されていると特に好ましい。本発明の範囲内で、複数の同じおよび／または異なるおよび／または別個のおよび／または互いに接続もしくは結合された無線データ伝送のための装置も、支柱と接続することができ、支柱におよび／または支柱の領域に配置することができる。無線データ伝送のための少なくとも１つの装置がケーシング内および／もしくは支柱の内部に配置されており、ならびに／またはこれらの装置の１つもしくは複数が支柱から離間して、例えば固有の構造体もしくは固有の柱上に配置されていることも考えられる。無線データ伝送のための装置は、好ましくは少なくとも１つの組み込まれたアンテナまたは別個のアンテナを有する。
【００２３】
少なくとも１つの発電機および／もしくは太陽電池モジュールおよび／もしくは再充電可能な蓄電エレメントならびに／または制御および監視のための装置ならびに／または無線データ伝送のための装置は、線路、とりわけデータおよび／または電流線路と、互いに接続することができる。これらの線路は、支柱内および／もしくは支柱に、ならびに／または支柱から離れて、および／もしくは支柱に向かって、および／もしくは支柱から離間して延在することができる。
【発明の効果】
【００２４】
かかる発明によれば、索道の支柱に自給自足的に個別に電気エネルギーを供給することができる。従って、従来のような、地下ケーブルの敷設または空中ケーブルの張架を省略できる。
【図面の簡単な説明】
【００２５】
【図１】本発明の支柱の一実施形態を示す図である。
【図２】本発明の支柱のさらなる実施形態を示す図である。
【発明を実施するための形態】
【００２６】
図１に示された実施形態の本発明による支柱１は、発電機２、太陽電池モジュール３および再充電可能な蓄電エレメント４を有し、ここで発電機２は、複数のロープウエイローラから成るローラ群５内に配置されており、ロープウエイローラにおいてハブ発電機として構成されている。
【００２７】
太陽電池モジュール３は、支柱１において支柱１の上方領域に配置されており、とりわけ手動または自動的な配向または調整が可能であるように配置されている。
【００２８】
再充電可能な蓄電エレメント４は、支柱１に、とりわけ支柱１の下方の地面近傍の領域に配置されており、蓄電エレメント４は監視電子回路６を有する。
【００２９】
支柱１には無線データ伝送のための装置７が配置されており、この装置７はアンテナ１０を有する。
【００３０】
支柱１には、発電機２、太陽電池モジュール３および蓄電エレメント４を制御および監視するための装置８が配置されており、当該制御および監視するための装置８は、発電機２、太陽電池モジュール３、蓄電エレメント４および無線データ伝送のための装置７と配線９を介して接続されている。
【００３１】
図２は、本発明による支柱１の特に好ましい実施形態を示す。この支柱１には、太陽電池モジュール３および発電機２に加えて、監視電子回路６を備える再充電可能な蓄電エレメント４、アンテナ１０を備える無線データ伝送のための装置７ならびに制御および監視のための装置８が支柱１の上方領域にさらに配置されている。
【００３２】
図２の実施形態において有利な点は配線９が図１に実施形態より短いことである。これにより、例えば比較的僅かな障害信号しか発生せず、アンテナ１０を備える無線データ伝送のための装置７と無線データ伝送のための他の装置または他のアンテナとの間において見通し良く接続することができる。
【００３３】
まとめると、本発明の実施形態は以下のように表現することができる。
【００３４】
上方領域および下方領域を有する、索道の支柱１が、少なくとも１つの発電機２、とりわけハブ発電機、少なくとも１つの太陽電池モジュール３および少なくとも１つの再充電可能な蓄電エレメント４と接続されている。
かかる発明によれば、索道の支柱１に自給自足的に個別に電気エネルギーを供給することができる。従って、本発明の索道では、地下ケーブルの敷設または空中ケーブルの張架を省略することができる。さらに、装置が停止しているか運転しているかに関係なく、かつ天候状態または時刻に関係なく、本発明は連続的なエネルギー供給を提供することができる。
【符号の説明】
【００３５】
１  支柱
２  発電機
３  太陽光電池モジュール
４  蓄電エレメント
５  ローラ群
６  監視電子回路  
７  無線データ伝送のための装置
８  制御および監視のための装置  
【図１】
2019108067.tif 000003
【図２】
2019108067.tif 000004